(57)【要約】【課題】２本の電源コードのうちいずれか一方の電源コードを介した電力供給が遮断された場合でも、被害を抑制できるようにする。【解決手段】２本の電源コード７０，８０、複数の処理部、リレー９１、及び制御部８７を備える。リレー９１は、２本の電源コード７０，８０が互いに電力供給自在な導通状態と電力供給できない切断状態とに切り換えられる。制御部８７は、複数の処理部の優先順位を記憶し、２本の電源コード７０，８０のうちいずれか一方の電源コードを介した電力供給が遮断された場合、リレー９１を切断状態から導通状態へ切り換えるとともに、優先順位に基づいて処理部を順次に選択し、選択中の処理部に含まれる負荷機器を駆動させる一方、選択されていない処理部に含まれる負荷機器のうち特定負荷機器以外の負荷機器を停止させる。【選択図】図２
2013140254.tif 000002
【特許請求の範囲】
【請求項１】
電源に接続される２本の電源コードと、
前記２本の電源コードのいずれかを介して電力を供給される１以上の負荷機器をそれぞれ含む複数の処理部と、
前記２本の電源コードのそれぞれを介して供給される電力の有無に応じた信号を出力する入力検出部と、
前記２本の電源コードが互いに電力供給自在な導通状態と電力供給できない切断状態とに切り換えられる切換部と、
前記複数の処理部についての予め設定された優先順位を記憶し、前記入力検出部から入力する信号に基づいて前記２本の電源コードのうちいずれか一方の電源コードを介した電力供給が遮断される電力遮断事態が発生したと判定した場合、前記切換部を前記切断状態から前記導通状態へ切り換えるとともに、前記優先順位に基づいて前記処理部を順次に選択し、選択中の処理部に含まれる負荷機器を駆動させる一方、選択されていない処理部に含まれる負荷機器のうち特定負荷機器以外の負荷機器を停止させる制御部と、を備える画像形成装置。
【請求項２】
前記制御部は、前記電力遮断事態が発生したと判定した場合、選択中の処理部に含まれる負荷機器による用紙搬送速度を低下させる、請求項１に記載の画像形成装置。
【請求項３】
電子写真方式の画像形成処理を行う画像形成部であって前記複数の処理部のうちの１つである画像形成部を備え、
前記複数の処理部のうち前記画像形成部の優先順位が最も高く設定される、請求項１又は２に記載の画像形成装置。
【請求項４】
前記制御部は、前記電力遮断事態が発生したと判定した場合、前記画像形成部における新たなトナー像の形成を停止させる、請求項３に記載の画像形成装置。
【請求項５】
前記画像形成部は、前記特定負荷機器である定着ヒータを含み、
前記制御部は、前記電力遮断事態が発生したと判定した場合、前記画像形成部の選択中は定着処理温度を第１定着温度に設定し、前記画像形成部以外の処理部の選択中は前記定着処理温度を前記第１定着温度よりも低い第２定着温度に設定して前記定着ヒータを制御する、請求項３又は４に記載の画像形成装置。
【請求項６】
前記複数の処理部のそれぞれに用紙があるか否かを検出する用紙検出部をさらに備え、
前記制御部は、選択中の処理部において前記用紙検出部が用紙を検出しない場合、選択中の処理部に含まれる負荷機器のうち前記特定負荷機器以外の負荷機器を駆動させずに次の処理部を選択する、請求項１から５のいずれかに記載の画像形成装置。
【発明の詳細な説明】
【技術分野】
【０００１】
この発明は、２本の電源コードを介して電力を供給される画像形成装置に関する。
【背景技術】
【０００２】
近年、複写機、プリンタ、ファクシミリ、及びこれらを組み合わせた複合機など、電子写真プロセスを利用した画像形成装置の画像形成処理速度の高速化への要求の高まりに伴って、画像形成装置に搭載される定着ヒータのワット数やモータのワット数が増大し、画像形成装置の消費電力が増加する傾向にある。また、画像形成装置のカラー化や高精度化によっても高圧負荷やモータ負荷が増大し、消費電力がさらに増加する。
【０００３】
ところで、画像形成装置の電源である交流電源はコンセントの定格による規制があるので、画像形成装置はこの定格値以下で使用する必要がある。日本国内の一般的なオフィスでの通常使用できる電力の最大値は１５００Ｗであることから、一般的な１００Ｖのコンセントから交流電源の入力を１本の電源コードでとる場合、電流は１５Ａ以内に制限される。１５００Ｗ以上の電力を必要とする場合は、特別な電源工事が必要となる。
【０００４】
そこで、複数の電源コードを介して電力が供給される画像形成装置が知られている（例えば、特許文献１参照。）。この従来の画像形成装置は、２本の電源コードのうち一方の電源コードが抜けていても、両方の負荷系統へ電力が供給されるように構成される。
【先行技術文献】
【特許文献】
【０００５】
【特許文献１】特開２００７−３１６２４５公報
【発明の概要】
【発明が解決しようとする課題】
【０００６】
しかし、特許文献１には、２本の電源コードのうちいずれか一方の電源コードを介した電力供給が遮断された場合の具体的な制御についての記載がない。このため、従来の画像形成装置では、一方の電源コードを介した電力供給が遮断された場合は画像形成装置への供給電力が低下するにも関わらず、如何にして負荷機器のそれぞれを駆動させるのかが不明である。したがって、従来の画像形成装置では、２本の電源コードのうちいずれか一方の電源コードを介した電力供給が遮断された場合、定着処理の停止による未定着トナーの飛散、用紙搬送の停止による用紙詰まり等、大きな被害が生じる虞がある。大きな被害が生じると、迅速な復旧が困難になる。
【０００７】
この発明の目的は、２本の電源コードのうちいずれか一方の電源コードを介した電力供給が遮断された場合でも、被害を抑制できる画像形成装置を提供することにある。
【課題を解決するための手段】
【０００８】
この発明の画像形成装置は、２本の電源コード、複数の処理部、入力検出部、切換部、及び制御部を備える。電源コードは、電源に接続される。処理部は、２本の電源コードのいずれかを介して電力を供給される１以上の負荷機器をそれぞれ含む。入力検出部は、２本の電源コードのそれぞれを介して供給される電力の有無に応じた信号を出力する。切換部は、２本の電源コードが互いに電力供給自在な導通状態と電力供給できない切断状態とに切り換えられる。制御部は、複数の処理部についての予め設定された優先順位を記憶し、入力検出部から入力する信号に基づいて２本の電源コードのうちいずれか一方の電源コードを介した電力供給が遮断される電力遮断事態が発生したと判定した場合、切換部を切断状態から導通状態へ切り換えるとともに、優先順位に基づいて処理部を順次に選択し、選択中の処理部に含まれる負荷機器を駆動させる一方、選択されていない処理部に含まれる負荷機器のうち特定負荷機器以外の負荷機器を停止させる。
【０００９】
この構成では、電力遮断事態が発生した場合、切換部が導通状態へ切り換えられることで、電力供給が遮断されていない方の電源コードから電力供給が遮断された方の負荷系統へ電力が供給される。また、複数の処理部のうち優先順位に基づいて選択中の処理部に含まれる負荷機器は駆動し、選択されていない処理部に含まれる負荷機器のうち特定負荷機器以外の負荷機器は停止するので、同時に駆動する負荷機器の数が減少し、消費電力が低下する。このため、電力遮断事態が発生して画像形成装置への供給電力が低下した場合でも、選択中の処理部に含まれる負荷機器を確実に駆動させることができる。また、処理部は順次に選択されていくので、電力遮断事態の発生時に用紙がいずれの処理部にある場合でも、順次に全ての処理部から用紙が排出される。
【００１０】
上述の構成において、制御部は、電力遮断事態が発生したと判定した場合、選択中の処理部に含まれる負荷機器による用紙搬送速度を低下させるように構成することができる。用紙搬送速度を低下させることで消費電力がさらに低下するので、選択中の処理部に含まれる負荷機器をより確実に駆動させることができる。
【００１１】
また、電子写真方式の画像形成処理を行う画像形成部であって複数の処理部のうちの１つである画像形成部を備え、複数の処理部のうち画像形成部の優先順位が最も高く設定されることが好ましい。画像形成部は、未定着トナーを用紙に定着させる定着部を含む。電力遮断事態が発生した場合、画像形成部が最も優先的に駆動することで、用紙からの未定着トナーの飛散がより抑制される。
【００１２】
さらに、制御部は、電力遮断事態が発生したと判定した場合、画像形成部における新たなトナー像の形成を停止させることが好ましい。新たなトナー像の形成が停止することで、用紙に未定着トナーが新たに担持されることがなくなり、未定着トナーの飛散がより抑制される。
【００１３】
また、画像形成部は、特定負荷機器である定着ヒータを含み、制御部は、電力遮断事態が発生したと判定した場合、画像形成部の選択中は定着処理温度を第１定着温度に設定し、画像形成部以外の処理部の選択中は定着処理温度を第１定着温度よりも低い第２定着温度に設定して定着ヒータを制御するように構成することが好ましい。画像形成部の選択中は定着処理温度が第１定着温度に設定されることで、未定着トナーが用紙から少なくとも飛散しない程度に熱圧着する。また、画像形成部以外の処理部の選択中は定着処理温度が第１定着温度よりも低い第２定着温度に設定されることで、消費電力が低下するとともに、用紙搬送方向における画像形成部よりも上流側から用紙が排出される際に、画像形成部において定着ローラや加圧ローラ等の部材に付着していたトナーが用紙へ転写してしまう転写汚れが抑制される。
【００１４】
さらに、複数の処理部のそれぞれに用紙があるか否かを検出する用紙検出部をさらに備え、制御部は、選択中の処理部において用紙検出部が用紙を検出しない場合、選択中の処理部に含まれる負荷機器のうち特定負荷機器以外の負荷機器を駆動させずに次の処理部を選択することが好ましい。用紙がない処理部においては特定負荷機器以外の負荷機器を駆動させずに次の処理部を選択することで、迅速に全ての処理部から用紙を排出させることができる。
【発明の効果】
【００１５】
この発明によれば、２本の電源コードのうちいずれか一方の電源コードを介した電力供給が遮断された場合でも、被害を抑制することができる。
【図面の簡単な説明】
【００１６】
【図１】この発明の実施形態に係る画像形成装置の概略の構成を示す図である。
【図２】画像形成装置の電源系のブロック図である。
【図３】制御部の処理手順の一部を示すフローチャートである。
【図４】制御部の処理手順の一部を示すフローチャートである。
【発明を実施するための形態】
【００１７】
以下に、この発明の実施形態について、図面に基づいて説明する。図１に示すように、画像形成装置１００は、装置本体１１０及び自動原稿搬送装置（ＡＤＦ:Automatic Document Feeder）１２０、並びに、後処理装置である、クリアコート装置１８０、パンチ・ステープル装置１９０、及びフィニッシャ２００を備えている。画像形成装置１００は、原稿から生成した画像データ又は外部から入力した画像データに基づいて、用紙に多色又は単色の画像を形成する。用紙として、普通紙、印画紙、ＯＨＰフィルム等のシート状の記録媒体が挙げられる。
【００１８】
ＡＤＦ１２０は、装置本体１１０の上に配置され、背面側端部を装置本体１１０に軸支されることで前面側端部が上下方向に回動するように構成されている。
【００１９】
装置本体１１０は、画像読取部１３０、画像形成部１４０、給紙部１５０、副搬送部１６０、及び中継パスユニット１７０を備えている。
【００２０】
画像読取部１３０は、装置本体１１０の上部に配置されており、上面に第１原稿台１３１及び第２原稿台１３２を備えている。第１原稿台１３１及び第２原稿台１３２の上面は、ＡＤＦ１２０によって開閉自在にされている。固定原稿読取モードにおいて、画像読取部１３０は、第１原稿台１３１上に配置された原稿の画像を読み取って画像データを生成する。また、搬送原稿読取モードにおいて、ＡＤＦ１２０は、原稿積載トレイ１２１に収容された原稿を、第２原稿台１３２の上面を経由して原稿排出トレイ１２２へ至るように原稿搬送路１２３に沿って１枚ずつ搬送し、画像読取部１３０は、第２原稿台１３２の上面を経由する原稿の画像を読み取って画像データを生成する。
【００２１】
画像形成部１４０は、光走査装置３、４個の画像形成ステーション３０Ａ，３０Ｂ，３０Ｃ，３０Ｄ、中間転写ユニット４０、二次転写ユニット５０、及び定着装置６０を備え、用紙に画像形成処理を行う。
【００２２】
中間転写ユニット４０は、中間転写ベルト４１、駆動ローラ４２、従動ローラ４３、及びテンションローラ４４を有している。中間転写ベルト４１は、駆動ローラ４２、従動ローラ４３、及びテンションローラ４４によって張架されてループ状の移動経路を形成している。
【００２３】
画像形成部１４０は、ブラック、並びに、カラー画像を色分解して得られる減法混色の３原色であるシアン、マゼンタ及びイエローの４色の各色相のトナー像を、画像形成ステーション３０Ａ〜３０Ｄにおいて形成する。画像形成ステーション３０Ａ〜３０Ｄは、中間転写ベルト４１の移動経路に沿って一列に配置されている。画像形成ステーション３０Ｂ〜３０Ｄは、画像形成ステーション３０Ａと実質的に同様に構成されている。
【００２４】
ブラックの画像形成ステーション３０Ａは、感光体ドラム１Ａ、帯電器２Ａ、現像装置４Ａ、一次転写ローラ５Ａ、及びクリーニングユニット６Ａを備えている。
【００２５】
感光体ドラム１Ａは、図示しない駆動源から駆動力を伝達されることで所定方向に回転する。帯電器２Ａは、感光体ドラム１Ａの周面を所定の電位に帯電させる。
【００２６】
光走査装置３は、ブラック、シアン、マゼンタ及びイエローの各色相の画像データによって変調されたレーザ光のそれぞれを、画像形成ステーション３０Ａ〜３０Ｄのそれぞれの感光体ドラム１Ａ，１Ｂ，１Ｃ，１Ｄに照射する。感光体ドラム１Ａ〜１Ｄの周面には、ブラック、シアン、マゼンタ及びイエローの各色相の画像データに基づく静電潜像がそれぞれ形成される。
【００２７】
現像装置４Ａは、感光体ドラム１Ａの周面に、画像形成ステーション３０Ａの色相であるブラックのトナーを供給し、静電潜像をトナー像に顕像化する。
【００２８】
中間転写ベルト４１の外周面は、感光体ドラム１Ａ〜１Ｄの周面に順に対向する。中間転写ベルト４１を挟んで感光体ドラム１Ａに対向する位置に、一次転写ローラ５Ａが配置されている。中間転写ベルト４１と感光体ドラム１Ａ〜１Ｄとが互いに対向する位置のそれぞれが、一次転写位置である。
【００２９】
一次転写ローラ５Ａには、トナーの帯電極性（例えば、マイナス）と逆極性（例えば、プラス）の一次転写バイアスが定電圧制御によって印加される。画像形成ステーション３０Ｂ〜３０Ｄにおいても同様である。これによって、感光体ドラム１Ａ〜１Ｄのそれぞれの周面に形成された各色相のトナー像が中間転写ベルト４１の外周面に順次重ねて一次転写され、中間転写ベルト４１の外周面にフルカラーのトナー像が形成される。
【００３０】
但し、ブラック、シアン、マゼンタ及びイエローの色相の一部のみの画像データが入力された場合は、４個の感光体ドラム１Ａ〜１Ｄのうち、入力された画像データの色相に対応する一部のみにおいて静電潜像及びトナー像の形成が行われ、一部の色相のトナー像のみが中間転写ベルト４１の外周面に一次転写される。
【００３１】
クリーニングユニット６Ａは、一次転写の後に感光体ドラム１Ａの周面に残留したトナーを回収する。
【００３２】
中間転写ベルト４１の外周面に一次転写されたトナー像は、中間転写ベルト４１の回転によって、中間転写ベルト４１と、二次転写ユニット５０に備えられた二次転写ローラ５１と、の対向位置である二次転写位置へ搬送される。
【００３３】
給紙部１５０は、給紙カセット１５１、手差しトレイ１５２、主搬送路１５３、ピックアップローラ１５４，１５５、搬送ローラ１５６、及びレジストローラ１５７を備えている。
【００３４】
給紙カセット１５１には、使用頻度の比較的高いサイズ及び種類の用紙が収容される。給紙カセット１５１に収容された用紙は、ピックアップローラ１５４によって給紙されることで、主搬送路１５３へ１枚ずつ供給される。
【００３５】
手差しトレイ１５２には、使用頻度の比較的低いサイズや種類の用紙が載置される。手差しトレイ１５２に載置された用紙は、ピックアップローラ１５５によって給紙されることで、主搬送路１５３へ１枚ずつ供給される。
【００３６】
主搬送路１５３は、給紙カセット１５１及び手差しトレイ１５２のそれぞれから二次転写位置及び定着装置６０を経由して中継パスユニット１７０の第３搬送路１７１へ至るように形成されている。
【００３７】
副搬送部１６０は、副搬送路１６１、及び複数の搬送ローラ１６２，１６３を備えている。副搬送路１６１は、両面画像形成用の用紙搬送路であり、一方の面に画像を形成された用紙が表裏を反転された状態で再び二次転写位置へ搬送されるように形成されている。複数の搬送ローラ１６２，１６３は、副搬送路１６１に沿って設けられ、副搬送路１６１にある用紙を搬送する。
【００３８】
二次転写ローラ５１は、中間転写ベルト４１を挟んで駆動ローラ４２に所定のニップ圧で圧接している。
【００３９】
給紙部１５０によって給紙された用紙が二次転写位置を経由する際に、二次転写ローラ５１に、トナーの帯電極性（例えば、マイナス）と逆極性（例えば、プラス）の二次転写バイアスが定電圧制御によって印加され、これによって、中間転写ベルト４１の外周面に担持されたトナー像が、用紙に二次転写される。
【００４０】
トナー像が用紙に転写された後の中間転写ベルト４１上に残留したトナーは、中間転写ベルト用クリーニング装置４５によって回収される。
【００４１】
トナー像が転写された用紙は、定着装置６０へ導かれる。定着装置６０は、定着ローラ６１及び加圧ローラ６２を備え、定着ローラ６１と加圧ローラ６２との間を通過する用紙を加熱及び加圧することで、用紙にトナー像を定着させる。トナー像が定着した用紙は、中継パスユニット１７０へ送られる。
【００４２】
中継パスユニット１７０は、第３搬送路１７１の他に、複数の搬送ローラ１７２，１７３，１７４を備えている。第３搬送路１７１は、主搬送路１５３に連続しており、主搬送路１５３を搬送されてきた用紙を装置本体１１０の側面へ排出するように形成されている。複数の搬送ローラ１７２，１７３，１７４は、第３搬送路１７１に沿って設けられ、第３搬送路１７１にある用紙を搬送する。
【００４３】
クリアコート装置１８０は、第４搬送路１８１、搬送ローラ１８２，１８３、及びクリアコート処理部２１０を備えている。第４搬送路１８１は、第３搬送路１７１に連続している。搬送ローラ１８２，１８３は、第４搬送路１８１に沿って設けられ、用紙を搬送する。
【００４４】
クリアコート処理部２１０は、クリアコート搬送路２１１、クリアコート処理ユニット２１２、搬送ローラ２１３，２１４を有する。クリアコート搬送路２１１は、第４搬送路１８１から分岐して、分岐点よりも下流側で第４搬送路１８１に合流するように形成されている。クリアコート処理ユニット２１２、及び搬送ローラ２１３，２１４は、クリアコート搬送路２１１に設けられている。クリアコート処理ユニット２１２は、画像が形成された用紙にクリアコート処理を施す。搬送ローラ２１３，２１４は、クリアコート搬送路２１１にある用紙を搬送する。
【００４５】
パンチ・ステープル装置１９０は、第５搬送路１９１、及びパンチ・ステープル処理ユニット１９２を備えている。第５搬送路１９１は、第４搬送路１８１に連続している。パンチ・ステープル処理ユニット１９２は、用紙にパンチ処理及びステープル処理を施す。
【００４６】
フィニッシャ２００は、第６搬送路２０１、搬送ローラ２０２，２０３、及び用紙排紙トレイ２０４を備えている。第６搬送路２０１は、第５搬送路１９１に連続している。搬送ローラ２０２，２０３は、第６搬送路２０１に沿って設けられ、第６搬送路２０１にある用紙を搬送する。フィニッシャ２００は、用紙のソート処理機能やオフセット処理機能を有する。
【００４７】
中継パスユニット１７０、第４搬送路１８１、搬送ローラ１８２，１８３、第５搬送路１９１、第６搬送路２０１、搬送ローラ２０２，２０３は、排紙処理部２２０に含まれる。排紙処理部２２０を通過した用紙は、用紙排紙トレイ２０４へ排出される。
【００４８】
画像形成部１４０、給紙部１５０、副搬送部１６０、排紙処理部２２０、及びクリアコート処理部２１０は、１以上の負荷機器をそれぞれ含む処理部を構成している。処理部のそれぞれには、処理部のそれぞれに用紙があるか否かを検出する図示しない用紙検出部が備えられている。
【００４９】
図２に示すように、画像形成装置１００は、２本の電源コード７０，８０を介して交流電源（以下、ＡＣ電源という。）から交流電力（以下、ＡＣ電力という。）を供給される。
【００５０】
第１電源コード７０には、第１入力検出部７１、及び画像形成部負荷機器７２が接続されている。第１入力検出部７１は、第１電源コード７０を介して入力される電力の有無に応じた信号を出力する。一例として、第１入力検出部７１は、第１電源コード７０を介して供給されるＡＣ電力のゼロクロス信号を制御部８７へ出力する。制御部８７は、第１入力検出部７１から入力するゼロクロス信号の入力間隔が所定時間より長くなった場合、第１電源コード７０を介したＡＣ電力の供給が遮断されたと判定する。
【００５１】
第２電源コード８０には、第２入力検出部８１、直流電源（以下、ＤＣ電源という。）８２、排紙処理部負荷機器８３、クリアコート処理部負荷機器８４、給紙部負荷機器８５、及び副搬送部負荷機器８６が接続されている。第２入力検出部８１は、第２電源コード８０を介して入力される電力の有無に応じた信号を出力する。一例として、第２入力検出部８１は、第２電源コード８０を介して供給されるＡＣ電力のゼロクロス信号を制御部８７へ出力する。制御部８７は、第２入力検出部８１から入力するゼロクロス信号の入力間隔が所定時間より長くなった場合、第２電源コード８０を介したＡＣ電力の供給が遮断されたと判定する。
【００５２】
ＤＣ電源８２に、制御部８７が接続されている。ＤＣ電源８２は、ＡＣ電源からのＡＣ電力をＤＣ電力に変換して制御部８７へ供給する。制御部８７は、画像形成装置１００の各部の負荷機器を統括的に制御する。
【００５３】
画像形成部負荷機器７２には、駆動モータ、帯電器２Ａ、光走査装置３、一次転写ローラ５Ａ、二次転写ローラ５１、及び定着ヒータ６３（図１参照）が含まれる。駆動モータは、感光体ドラム１Ａ、現像装置４Ａ、駆動ローラ４２、及び定着ローラ６１へ回転力を供給する。定着ヒータ６３は、定着ローラ６１の周面を加熱する。
【００５４】
排紙処理部負荷機器８３には、搬送ローラ１７２，１７３，１７４，１８２，１８３，２０２，２０３へ回転力を供給する駆動モータが含まれる。
【００５５】
クリアコート処理部負荷機器８４には、クリアコート処理ユニット２１２、及び搬送ローラ２１３，２１４へ回転力を供給する駆動モータが含まれる。
【００５６】
給紙部負荷機器８５には、ピックアップローラ１５４，１５５、搬送ローラ１５６、及びレジストローラ１５７へ回転力を供給する駆動モータ、及びクラッチが含まれる。
【００５７】
副搬送部負荷機器８６には、搬送ローラ１６２，１６３へ回転力を供給する駆動モータが含まれる。
【００５８】
画像形成装置１００は、さらにリレー９１を備えている。リレー９１は、２本の電源コード７０，８０が互いに電力供給自在な導通状態と電力供給できない切断状態とに切り換えられる切換部の一例である。
【００５９】
図３に示すように、制御部８７は、印刷ジョブが入力すると（Ｓ１）、第１入力検出部７１から入力する信号に基づいて、第１電源コード７０を介した電力供給が行われているか否かを判定する（Ｓ２）。制御部８７は、第１電源コード７０を介した電力供給が行われている場合は、第２入力検出部８１から入力する信号に基づいて、第２電源コード８０を介した電力供給が行われているか否かを判定する（Ｓ３）。
【００６０】
制御部８７は、第１電源コード７０及び第２電源コード８０を介した電力供給がともに行われている場合、定着ローラ６１の設定温度を通常定着温度に設定して定着ヒータ６３の定着温度制御を行い（Ｓ４）、画像形成処理を実行する（Ｓ５）。通常定着温度は、トナー像を用紙に堅牢に固着させる温度である。制御部８７は、印刷ジョブが終了していない場合は、Ｓ２の処理へ戻って印刷ジョブを継続し、印刷ジョブが終了した場合は、次の印刷ジョブの入力を待機する（Ｓ６）。
【００６１】
制御部８７は、Ｓ２及びＳ３の処理において、第１入力検出部７１及び第２入力検出部８１から入力する信号に基づいて２本の電源コード７０，８０のうちいずれか一方の電源コードを介した電力供給が遮断される電力遮断事態が発生したと判定した場合、リレー９１を切断状態から導通状態へ切り換え（Ｓ７）、電力遮断事態発生モードへ移行する。
【００６２】
図４に示すように、制御部８７は、電力遮断事態発生モードへ移行すると、定着処理温度を所定の第２定着温度に設定して定着ヒータ６３を制御し（Ｓ１１）、定着装置６０による定着処理の完了前の画像データを制御部８７に含まれる記憶部に退避させる（Ｓ１２）。また、制御部８７は、画像形成部１４０における新たなトナー像の形成を停止させる。新たなトナー像の形成が停止することで、用紙に未定着トナーが新たに担持されることがなくなり、未定着トナーの飛散が抑制される。
【００６３】
制御部８７は、画像形成部１４０、給紙部１５０、副搬送部１６０、排紙処理部２２０、及びクリアコート処理部２１０といった処理部についての予め設定された優先順位を記憶している。一例として、優先順位は、高い方から、画像形成部１４０、排紙処理部２２０、クリアコート処理部２１０、給紙部１５０、副搬送部１６０の順に設定されている。
【００６４】
制御部８７は、電力遮断事態が発生したと判定した場合、優先順位に基づいて処理部１４０，１５０，１６０，２１０，２２０を順次に選択し、選択中の処理部に含まれる負荷機器を駆動させる一方、選択されていない処理部に含まれる負荷機器のうち特定負荷機器以外の負荷機器を停止させる。
【００６５】
また、制御部８７は、選択中の処理部において用紙検出部が用紙を検出しない場合、選択中の処理部に含まれる負荷機器のうち特定負荷機器以外の負荷機器を駆動させずに次の処理部を選択する。
【００６６】
具体的には、制御部８７は、まず最も優先順位が高い画像形成部１４０を選択し、画像形成部１４０に用紙がある場合（Ｓ１３）、定着処理温度を所定の第１定着温度に設定して定着ヒータを制御し（Ｓ１４）、定着処理を実行する（Ｓ１５）。第１定着温度は、通常定着温度よりは低温、かつ第２定着温度よりは高温の所定の温度である。画像形成部１４０の選択中は定着処理温度が第１定着温度に設定されることで、未定着トナーが用紙から少なくとも飛散しない程度に用紙に熱圧着する。
【００６７】
制御部８７は、定着処理が終了すると、定着処理温度を第２定着温度に設定して（Ｓ１６）、次に優先順位が高い排紙処理部２２０を選択する。画像形成部１４０以外の処理部の選択中は定着処理温度が第２定着温度に設定されることで、消費電力が低下するとともに、用紙搬送方向における上流側から下流側へ二次転写位置を用紙が通過する際に、二次転写位置において定着ローラ６１や加圧ローラ６２等の部材に付着していたトナーが用紙へ転写してしまう転写汚れが抑制される。
【００６８】
制御部８７は、Ｓ１３の処理において画像形成部１４０に用紙がないと判定した場合、画像形成部１４０に含まれる負荷機器のうち定着ヒータ６３以外の負荷機器を駆動させずに、次に優先順位が高い排紙処理部２２０を選択する。この実施形態では、定着ヒータ６３が特定負荷機器である。用紙がない処理部においては特定負荷機器以外の負荷機器を駆動させずに次の処理部を選択することで、迅速に全ての処理部から用紙を排出させることができる。
【００６９】
制御部８７は、排紙処理部２２０を選択すると、排紙処理部２２０に用紙があるか否かを検出し（Ｓ１７）、排紙処理部２２０に用紙がある場合、排紙処理部２２０に含まれる負荷機器を駆動して排紙処理部２２０から用紙排紙トレイ２０４へ用紙を排出し（Ｓ１８）、次に優先順位が高いクリアコート処理部２１０を選択する。
【００７０】
制御部８７は、クリアコート処理部２１０を選択すると、クリアコート処理部２１０に用紙があるか否かを検出し（Ｓ１９）、クリアコート処理部２１０に用紙がある場合、クリアコート処理を実行し（Ｓ２０）、クリアコート処理部２１０から用紙を排出し（Ｓ２１）、次に優先順位が高い給紙部１５０を選択する。
【００７１】
制御部８７は、給紙部１５０を選択すると、主搬送路１５３に用紙があるか否かを検出し（Ｓ２２）、主搬送路１５３に用紙がある場合、主搬送路１５３から用紙を排出し（Ｓ２３）、次に優先順位が高い副搬送部１６０を選択する。
【００７２】
制御部８７は、副搬送部１６０を選択すると、副搬送路１６１に用紙があるか否かを検出し（Ｓ２４）、副搬送路１６１に用紙がある場合、副搬送路１６１から用紙を排出し（Ｓ２５）、Ｓ２の処理へ戻る。
【００７３】
依然として電力遮断事態が発生した状態であれば、制御部８７は、再び最も優先順位が高い画像形成部１４０を選択する。このようにして、処理部が順次に選択されていくことで、電力遮断事態の発生時に用紙がいずれの処理部にある場合でも、順次に全ての処理部から用紙が排出される。したがって、電力遮断事態の発生を原因とする用紙詰まりを防止できる。
【００７４】
画像形成装置１００によれば、電力遮断事態が発生した場合、リレー９１を導通状態へ切り換えることで、電力供給が遮断されていない方の電源コードから電力供給が遮断された方の負荷系統へ電力を供給することができる。また、複数の処理部のうち優先順位に基づいて選択中の処理部に含まれる負荷機器は駆動させ、選択されていない処理部に含まれる負荷機器のうち特定負荷機器以外の負荷機器は停止させるので、同時に駆動する負荷機器の数が減少し、消費電力を低下させることができる。このため、電力遮断事態が発生して画像形成装置１００への供給電力が低下した場合でも、選択中の処理部に含まれる負荷機器を確実に駆動させることができる。
【００７５】
したがって、２本の電源コード７０，８０のうちいずれか一方の電源コードを介した電力供給が遮断された場合でも、定着処理の停止による未定着トナーの飛散や、用紙搬送の停止による用紙詰まりといった被害を抑制することができる。
【００７６】
また、電力遮断事態が発生した場合、画像形成部１４０を最も優先的に駆動させることで、用紙からの未定着トナーの飛散をより抑制できる。
【００７７】
さらに、制御部８７は、電力遮断事態が発生したと判定した場合、選択中の処理部に含まれる負荷機器による用紙搬送速度を低下させるように構成することができる。用紙搬送速度を低下させることで消費電力がさらに低下するので、選択中の処理部に含まれる負荷機器をより確実に駆動させることができる。
【００７８】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００７９】
６０  定着装置
６３  定着ヒータ
７０  第１電源コード
７１  第１入力検出部
７２  画像形成部負荷機器
８０  第２電源コード
８１  第２入力検出部
８３  排紙処理部負荷機器
８４  クリアコート処理部負荷機器
８５  給紙部負荷機器
８６  副搬送部負荷機器
８７  制御部
９１  リレー（切換部）
１００  画像形成装置
１４０  画像形成部
１５０  給紙部
１６０  副搬送部
１７０  中継パスユニット
１８０  クリアコート処理装置
１９０  パンチ・ステープル装置
２００  フィニッシャ
２２０  排紙処理部
【図１】
2013140254.tif 000003
【図２】
2013140254.tif 000004
【図３】
2013140254.tif 000005
【図４】
2013140254.tif 000006